(57)【要約】【課題】グリルからの排気路の外側に確保された開口領域を介して異物が装置内に入り込むことを抑えることができ、且つ、受け皿の取り外しの際に、受け皿に蓄積された異物が落下し難い姿勢を容易に保ちやすい構成を提供する。【解決手段】加熱調理器１は、加熱調理器本体１ａの内部において開口部２ａの下方且つ排気路７の外側に受け皿５が収容されており、受け皿５は、皿部材３０と、第１連結部１０と、第２連結部２０とを有している。そして、この受け皿５は、第１支持部１４及び第２支持部２４が開口部２ａの縁部に支持される装着時に、第１指掛け部１６と開口部２ａの横方向一端側の縁部との間に指挿入空間が構成され、第２指掛け部２６と開口部２ａの横方向他端側の縁部との間に指挿入空間が構成されるようになっている。【選択図】図４
2015031471.tif 000002
【特許請求の範囲】
【請求項１】
グリルを内部に備えた加熱調理器本体を有し、
前記グリルからの排気を前記加熱調理器本体の上面側且つ後方側に形成された開口部を介して排出する構成で前記加熱調理器本体内に排気路が設けられ、
前記開口部が、前記加熱調理器本体の横方向に長手状に延び、
前記排気路の端部をなす排出部が、前記開口部の前記横方向両端部からそれぞれ離れた位置に配置されてなる加熱調理器であって、
前記加熱調理器本体内において前記開口部の下方且つ前記排気路の外側に収容される受け皿を備え、
前記受け皿は、
前記開口部の下方且つ前記排気路の外側において前記横方向に長手状に延びた構成で配置される皿部材と、
前記皿部材の長手方向一端側から上方に立ち上がる第１立ち上がり部と、前記第１立ち上がり部の上端部側に連結され、前記開口部の前記横方向一端側の縁部における少なくとも前端寄りの位置と後端寄りの位置とに支持される第１支持部と、前記第１支持部から前記開口部の前記横方向中央側に延び且つ前記横方向中央側の端部が前記皿部材の前端部よりも後方位置且つ後端部よりも前方位置に配置される第１指掛け部と、を備えた第１連結部と、
前記皿部材の長手方向他端側から上方に立ち上がる第２立ち上がり部と、前記第２立ち上がり部の上端部側に連結され、前記開口部の前記横方向他端側の縁部における少なくとも前端寄りの位置と後端寄りの位置とに支持される第２支持部と、前記第２支持部から前記開口部の前記横方向中央側に延び且つ前記横方向中央側の端部が前記皿部材の前端部よりも後方位置且つ後端部よりも前方位置に配置される第２指掛け部と、を備えた第２連結部と、
を有し、
前記第１支持部及び前記第２支持部が前記開口部の縁部に支持される装着時に、前記第１指掛け部と前記開口部の前記横方向一端側の縁部との間に指挿入空間が構成され、前記第２指掛け部と前記開口部の前記横方向他端側の縁部との間に指挿入空間が構成されることを特徴とする加熱調理器。
【請求項２】
前記第１指掛け部及び前記第２指掛け部はいずれも、前後方向において前記皿部材の前端部と後端部との中間に位置する部分が、前記開口部の前記横方向中央側に凸となる曲り形状となっていることを特徴とする請求項１に記載の加熱調理器。
【発明の詳細な説明】
【技術分野】
【０００１】
本発明は、加熱調理器に関するものである。
【背景技術】
【０００２】
従来より、魚等の被調理物の加熱調理を行うグリルが器内に備えられた加熱調理器が知られている。このようにグリルが内蔵された加熱調理器では、グリル内の空間からの排気経路を確保することが求められ、その一例としては、特許文献１のように、グリルからの排気を加熱調理器本体の上面側且つ後方側に形成された開口部（排気口）を介して排出する構成のものがある。
【先行技術文献】
【特許文献】
【０００３】
【特許文献１】実開平３−１２４１１６号公報
【発明の概要】
【発明が解決しようとする課題】
【０００４】
ところで、加熱調理器本体の上面側に開口部を設けてグリルからの排気を放出する構成では、例えば、加熱調理器本体の内外に連通する気体経路を確保すべき場合等、開口部において、グリルからの排気路の外側にも開口領域を確保したい場合がある。但し、このような構成のものでは、排気路の外側に確保された開口領域を介して埃や煮汁等が装置内に入り込みやすいという問題がある。
【０００５】
上記特許文献１の技術は、着脱可能な受け皿を利用しての異物除去を可能とするものではあるが、あくまで、グリルからの排気路内に受け皿を取り付けるものであり、排気路の外側に確保された開口領域からの異物の落下に対応し得るものではなかった。
【０００６】
また、加熱調理器本体の開口部付近に着脱可能な受け皿を取り付ける場合、作業者が受け皿を取り外す際に、受け皿に蓄積された埃や煮汁等の異物を装置内部に極力落下させないことが望まれる。しかしながら、特許文献１の受け皿のように、作業者が指で保持する部分（つまみ１６）が後端側に偏って配置され、底板１２がその前方側に大きく張り出した構成では、作業者がつまみ１６を保持して受け皿を取り外そうとしたときに、底板１２の前側が下がるような前下がりの傾斜姿勢になりやすい。特に、底板１２が傾斜する際に大きく揺れやすく、持上げ後に傾斜姿勢のままで維持されやすいため、底板１２上に蓄積された埃や煮汁等の異物が装置内に落下してしまう虞がある。
【０００７】
本発明は、上述した解決を解決するためになされたものであり、グリルからの排気路の外側に確保された開口領域を介して異物が装置内に入り込むことを抑えることができ、且つ、受け皿の取り外しの際に、受け皿に蓄積された異物が落下し難い姿勢を容易に保ちやすい構成を提供することを目的とする。
【課題を解決するための手段】
【０００８】
本発明は、グリルを内部に備えた加熱調理器本体を有し、
前記グリルからの排気を前記加熱調理器本体の上面側且つ後方側に形成された開口部を介して排出する構成で前記加熱調理器本体内に排気路が設けられ、
前記開口部が、前記加熱調理器本体の横方向に長手状に延び、
前記排気路の端部をなす排出部が、前記開口部の前記横方向両端部からそれぞれ離れた位置に配置されてなる加熱調理器であって、
前記加熱調理器本体内において前記開口部の下方且つ前記排気路の外側に収容される受け皿を備え、
前記受け皿は、
前記開口部の下方且つ前記排気路の外側において前記横方向に長手状に延びた構成で配置される皿部材と、
前記皿部材の長手方向一端側から上方に立ち上がる第１立ち上がり部と、前記第１立ち上がり部の上端部側に連結され、前記開口部の前記横方向一端側の縁部における少なくとも前端寄りの位置と後端寄りの位置とに支持される第１支持部と、前記第１支持部から前記開口部の前記横方向中央側に延び且つ前記横方向中央側の端部が前記皿部材の前端部よりも後方位置且つ後端部よりも前方位置に配置される第１指掛け部と、を備えた第１連結部と、
前記皿部材の長手方向他端側から上方に立ち上がる第２立ち上がり部と、前記第２立ち上がり部の上端部側に連結され、前記開口部の前記横方向他端側の縁部における少なくとも前端寄りの位置と後端寄りの位置とに支持される第２支持部と、前記第２支持部から前記開口部の前記横方向中央側に延び且つ前記横方向中央側の端部が前記皿部材の前端部よりも後方位置且つ後端部よりも前方位置に配置される第２指掛け部と、を備えた第２連結部と、
を有し、
前記第１支持部及び前記第２支持部が前記開口部の縁部に支持される装着時に、前記第１指掛け部と前記開口部の前記横方向一端側の縁部との間に指挿入空間が構成され、前記第２指掛け部と前記開口部の前記横方向他端側の縁部との間に指挿入空間が構成されることを特徴とする。
【発明の効果】
【０００９】
請求項１の発明では、加熱調理器本体の上面側且つ後方側に開口部が形成され、その開口部の下方且つ排気路（グリルから続く排気路）の外側に皿部材が配置されるように受け皿が設置されるため、グリルから続く排気路の外側に気体が通過可能となる開口領域を確保しつつ、その確保された開口領域を介して異物が装置内に入り込むことを抑えることができる。
更に、加熱調理器本体に装着される受け皿は、開口部の縁部に支持される装着時に、第１指掛け部と開口部の横方向一端側の縁部との間に指挿入空間が構成され、第２指掛け部と開口部の横方向他端側の縁部との間に指挿入空間が構成されるようになっている。この構成によれば、開口部の内側の領域を利用して効率的に一対の指掛け部（第１指掛け部、第２指掛け部）を配置することができる。
また、それら第１指掛け部及び第２指掛け部において受け皿の中央側に配置される端部はいずれも、前後方向において皿部材の前後両端部の間の中間領域に配置されている。つまり、受け皿の取り外し時には、それら端部を支持しながら持ち上げれば受け皿が傾きにくく、ひいては、受け皿の傾斜に起因する異物の落下を効果的に抑制しやすくなる。
【００１０】
請求項２の発明では、第１指掛け部及び第２指掛け部はいずれも、前後方向において皿部材の前端部と後端部との中間に位置する部分が、開口部の横方向中央側に凸となる曲り形状となっている。
第１指掛け部及び第２指掛け部の各指挿入空間にそれぞれ指を挿入しながら持ち上げようとした場合、それぞれの指が近づく向きに力が加わるように指を引っ掛けて吊り下げると持ち上げやすい。本構成では、このように持ち上げる場合に、各指によって第１指掛け部及び第２指掛け部の前後中間部分（皿部材の前端部と後端部との中間に位置する部分）の近辺が自然に支持されやすくなり、両側の指を近づける強い力がかかっても、指の支持位置が前後中間部分から大きく外れにくくなる。このため、受け皿の重心が、指の支持位置よりも大きく前に外れたり、大きく後ろに外れたりし難くなり、受け皿の取り外し時に、皿部材の前下がりの傾きや後ろ下がりの傾きをより一層抑えやすくなる。
【図面の簡単な説明】
【００１１】
【図１】図１は、本発明の第１実施形態に係る加熱調理器を例示する斜視図である。
【図２】図２は、図１の加熱調理器において排気口カバー等を取り外した状態を示す平面図である。
【図３】図３は、図２から更に受け皿を取り外した状態を示す平面図である。
【図４】図４（Ａ）は、図１の加熱調理器において、排気口カバーを取り外した開口部付近を示す斜視図であり、図４（Ｂ）は、図４（Ａ）の状態から受け皿が取り外されている状態を示す斜視図である。
【図５】図５（Ａ）は、図４（Ａ）の状態の第２連結部付近を拡大して示す拡大図であり、図５（Ｂ）は、図４（Ａ）の状態の第１連結部付近を拡大して示す拡大図である。
【図６】図６は、図２のＡ−Ａ位置付近の切断面を部分的に示すＡ−Ａ断面概略図である。
【図７】図７は、図２のＢ−Ｂ位置付近の切断面を部分的に示すＢ−Ｂ断面概略図である。
【図８】図８（Ａ）は、図１の加熱調理器に用いる受け皿を示す平面図であり、図８（Ｂ）は、その正面図である。
【図９】図９（Ａ）は、図１の加熱調理器に用いる受け皿を示す背面図であり、図９（Ｂ）は、その底面図である。
【図１０】図１０（Ａ）は、図１の加熱調理器に用いる受け皿を示す左側面図であり、図１０（Ｂ）は、その右側面図である。
【発明を実施するための形態】
【００１２】
[第１実施形態]
以下、本発明を具現化した第１実施形態について、図面を参照して説明する。
（加熱調理器の全体構成）
図１に示す加熱調理器１は、調理鍋等の調理器具を加熱可能なビルトインコンロとして構成され、器内にグリル３を内蔵したものである。この加熱調理器１は、加熱調理器本体１ａの上面を構成する天板２（トッププレート）から露出するように、左こんろ部４ａ、右こんろ部４ｂが夫々設けられ、その左右のこんろ部４ａ，４ｂの間で後方寄りに小こんろ部４ｃが設けられている。そして、天板２の下方において加熱調理器本体１ａの内部中央付近にはグリル３が設けられている。
【００１３】
図２に示すように、グリル３は、被調理物を収納して図示しないグリルバーナで加熱調理するグリル庫３ａと、その後方に連設された排気路７（排気ダクト）とを備えている。なお、図２では、グリル庫３ａを破線にて概略的に示している。このグリル庫３ａは、加熱調理器本体１ａの前面部に設けられた開閉カバー３ｂによって開閉可能とされている。
【００１４】
排気路７は、気体を通過させる経路として機能するものであり、図２、図４のように横方向に長い気体流路として構成されている。この排気路７は、グリル庫３ａの内部空間と連通する構成となっており、グリル庫３ａ内で発生した燃焼排ガスを、天板２に形成された開口部２ａを介して加熱調理器本体１ａの外部へ排出する構成で加熱調理器本体１ａ内に設けられている。本構成では、図１のように、排気路７の端部をなす排出部７ａ（排気口）の上方を覆うように且つ開口部２ａを覆うように格子状の排気口カバー８が天板２に対して着脱可能に設置されており、排出部７ａから放出される燃焼排ガス等の気体は、排気口カバー８に形成された隙間を介して加熱調理器本体１ａの外部に放出されるようになっている。
【００１５】
本構成では、図３、図４のように、開口部２ａは、加熱調理器本体１ａの上面側且つ後方側（より具体的には、加熱調理器本体１ａの上面部を構成する天板２の後端部寄りの位置）において横方向に長手状に延びるように形成されている。なお、図３の例では、開口部２ａは、前端部２ｄ及び後端部２ｅが横方向に直線状に延び、右側の端部２ｂ及び左側の端部２ｃは前後方向の直線状に延びており、平面視したときの形状（内周縁部の形状）が略四角形状となっている。この開口部２ａは、排気路７の排出部７ａ（排気口）よりも横方向（左右方向）の長さが大きくなるように形成されており、図３のように平面視したときに、開口部２ａの開口領域内に排出部７ａの開口領域が収まるようになっている。
【００１６】
一方、横方向に長手状に形成された排出部７ａ（排気口）は、横方向において、開口部２ａの横方向両端部２ｂ，２ｃからそれぞれ離れた位置に配置されており、前後方向においても、開口部２ａの前後方向両端部２ｄ，２ｅから若干離れた位置に配置されている。このように、開口部２ａは、排出部７ａ（排気口）の外側にも開口領域の一部が構成されており、排気路７の外側においても、開口部２ａの開口領域を介して、加熱調理器本体１ａの内側から外側、或いは外側から内側に気体が通過する構成となっている。このように構成されているため、例えば、排気路７の外側の開口領域を、加熱調理器本体１ａの内部へ空気を流入させるための給気口として利用することができる。或いは、排気路７の外側の開口領域を、加熱調理器本体１ａの内部に蓄積する熱を外部に放出する排熱口として利用することもできる。なお、本明細書では、略長方形状に構成される天板２の短手方向が前後方向であり、天板２の長手方向が横方向（左右方向）となっている。また、天板２の板面と直交する方向が上下方向となっている。
【００１７】
（受け皿の構成）
次に、受け皿５の構成について詳述する。
受け皿５は、図２、図４（Ａ）のように、加熱調理器本体１ａ内において開口部２ａの下方且つ排気路７の外側に着脱可能に収容されるものである。この受け皿５は、開口部２ａの下方且つ排気路７の外側において横方向に長手状に延びた構成で配置される皿部材３０と、皿部材３０を開口部２ａに引っ掛けるように掛止させる第１連結部１０及び第２連結部２０とをそれぞれ備えている。なお、加熱調理器本体１ａ内における皿部材３０の配置位置は図２のようになっている。また、第１連結部１０及び第２連結部２０を開口部２ａの周縁部に掛止させる構造は、図４（Ａ）、図５、図６、図７のようになっている。更に、受け皿５の単体の構成は、図８、図９、図１０のようになっている。
【００１８】
皿部材３０は、例えば金属材料などによって構成され、図８、図９（Ａ）、図１０等に示すように、板状の底部３０ａから、当該底部３０ａの周縁に沿って配置される環状の周壁部３０ｂが立ち上がった構成となっている。そして、図２のように、受け皿５の設置時には、この皿部材３０が排気路７の両側方（左右両側）且つ後方に配置されるようになっており、この領域を通って落下しようとする埃や煮汁等の異物を、底部３０ａ上且つ周壁部３０ｂ内で受け得る構成となっている。なお、図２のような受け皿５の設置時には、例えば、底部３０ａの上面（底面）が上記上下方向と直交する水平方向となるように配置される。
【００１９】
第１連結部１０は、例えば金属材料（より具体的には、断面円形状の金属線材等）によって構成されており、図８〜図１０等に示すように、皿部材３０の長手方向（図２では横方向）一端側の部分に連結されて上方に立ち上がる第１立ち上がり部１２と、第１立ち上がり部１２の上端部側に連結され、開口部２ａの横方向一端側の縁部（端部２ｂ）における少なくとも前端寄りの位置と後端寄りの位置とに支持される第１支持部１４とを備える。図８〜図１０に示す例では、皿部材３０の長手方向一端部寄り且つ前端部寄りの位置において第１立ち上がり部１２ａが上下方向に延び、皿部材３０の長手方向一端部寄り且つ後端部寄りにおいて第１立ち上がり部１２ｂが上下方向に延びている。そして、第１立ち上がり部１２ａには、この第１立ち上がり部１２ａよりも外側に張り出すように第１支持部１４ａが連結され、第１立ち上がり部１２ｂには、この第１立ち上がり部１２ｂよりも外側に張り出すように第１支持部１４ｂが連結されている。そして、図５（Ｂ）のように、第１支持部１４ａが端部２ｂの前端寄りの位置に支持され、第１支持部１４ｂが端部２ｂの後端寄りの位置に支持されるようになっている。
【００２０】
更に、図８（Ａ）のように、両第１支持部１４ａ，１４ｂから開口部２ａの横方向中央側に延び且つ横方向中央側の端部１６ａが皿部材３０の前端部３１よりも後方位置且つ後端部３２よりも前方位置に配置される第１指掛け部１６が設けられている。この第１指掛け部１６は、一対の第１支持部１４ａ，１４ｂを連結する構成で配置されており、第１支持部１４及び第１指掛け部１６によって構成される部分の平面視形状が略「Ω」形状となっている。
【００２１】
第２連結部２０は、例えば金属材料（より具体的には、断面円形状の金属線材等）によって構成されており、基本的には、第１連結部１０と対称形状となっている。図８〜図１０等に示すように、第２連結部２０は、皿部材３０の長手方向（図２では横方向）他端側の部分に連結されて上方に立ち上がる第２立ち上がり部２２と、第２立ち上がり部２２の上端部側に連結され、開口部２ａの横方向他端側の縁部（端部２ｃ）における少なくとも前端寄りの位置と後端寄りの位置とに支持される第２支持部２４とを備える。この第２連結部２０でも、皿部材３０の長手方向一端部寄り且つ前端部３１寄りの位置において第２立ち上がり部２２ａが上下方向に延び、皿部材３０の長手方向一端部寄り且つ後端部３２寄りにおいて第２立ち上がり部２２ｂが上下方向に延びている。そして、第２立ち上がり部２２ａには、この第２立ち上がり部２２ａよりも外側に張り出すように第２支持部２４ａが連結され、第２立ち上がり部２２ｂには、この第２立ち上がり部２２ｂよりも外側に張り出すように第２支持部２４ｂが連結されている。そして、図５（Ａ）のように、第２支持部２４ａが端部２ｃの前端寄りの位置に支持され、第２支持部２４ｂが端部２ｃの後端寄りの位置に支持されるようになっている。
【００２２】
更に、図８（Ａ）のように、両第２支持部２４ａ，２４ｂから開口部２ａの横方向中央側に延び且つ横方向中央側の端部２６ａが皿部材３０の前端部３１よりも後方位置且つ後端部３２よりも前方位置に配置される第２指掛け部２６を備えている。この第２指掛け部２６も、一対の第２支持部２４ａ，２４ｂを連結する構成で配置されており、第２支持部２４及び第２指掛け部２６によって構成される部分の平面視形状が略「Ω」形状となっている。
【００２３】
このように構成される第１連結部１０及び第２連結部２０は、図２、図４（Ａ）、図６のように、一対の第１支持部１４ａ，１４ｂが開口部２ａの端部２ｂの前端寄り及び後端寄りの位置でそれぞれ支持され、一対の第２支持部２４ａ，２４ｂが開口部２ａの端部２ｃの前端寄り及び後端寄りの位置でそれぞれ支持される。受け皿５は、このような４位置で引っ掛かる支持により、開口部２ａの周縁部にて安定的に保持される。そして、このように第１支持部１４及び第２支持部２４が開口部２ａの縁部に支持される装着時には、図５（Ａ）、図５（Ｂ）のように、第１指掛け部１６と開口部２ａの横方向一端側の縁部（端部２ｂ）との間に指挿入空間ＡＲ１が構成され、第２指掛け部２６と開口部２ａの横方向他端側の縁部（端部２ｃ）との間に指挿入空間ＡＲ２が構成されるようになっている。つまり、受け皿５の長手方向両側において各連結部の上端部付近の位置に、一対の指挿入空間ＡＲ１，ＡＲ２が構成されるのである。
【００２４】
以上のように、本構成では、図２、図４のように、加熱調理器本体１ａの上面側且つ後方側に開口部２ａが形成され、その開口部２ａの下方且つ排気路７（グリル３からの排気路７）の外側に皿部材３０が配置されるように受け皿５が設置されるため、グリル３から続く排気路７の外側に気体が通過可能な開口領域を確保しつつも、このように確保された開口領域を介して異物が装置内に入り込むことを抑えることができる。
【００２５】
更に、加熱調理器本体１ａに装着される受け皿５は、図５のように、開口部２ａの縁部に支持される装着時に、第１指掛け部１６と開口部２ａの横方向一端側の縁部との間に指挿入空間ＡＲ１が構成され、第２指掛け部２６と開口部２ａの横方向他端側の縁部との間に指挿入空間ＡＲ２が構成されるようになっている。この構成によれば、開口部２ａの内側の領域を利用して効率的に一対の指掛け部（第１指掛け部１６、第２指掛け部２６）を配置することができる。特に、指挿入空間ＡＲ１、ＡＲ２をある程度広く確保しても、各連結部が外側に張り出しすぎないため、受け皿５全体の長手方向のサイズを抑える上で有利である。
【００２６】
本構成において、図４（Ａ）のように受け皿５が装着された状態から図４（Ｂ）のように取り外す場合、第１指掛け部１６及び第２指掛け部２６の各指挿入空間ＡＲ１，ＡＲ２（図５）にそれぞれ指を挿入し、それぞれの指が互いに近づく向き（図８（Ａ）の矢印Ｆａ，Ｆｂの向き）に力が加わるように指を引っ掛けて吊り下げれば持ち上げやすくなる。
【００２７】
そして、第１指掛け部１６及び第２指掛け部２６において受け皿５の中央側に配置される端部１６ａ，２６ａは、いずれも前後方向において皿部材３０の前後両端部３１，３２の間の中間領域に配置されているため、図４（Ｂ）のような受け皿５の取り外し時には、それら端部１６ａ，２６ａを支持しながら持ち上げれば受け皿５が傾きにくく、ひいては、受け皿５の傾斜に起因する異物の落下を効果的に抑制しやすくなる。特に、受け皿５の重心位置が前後方向において指掛け部１６，２６が設けられる範囲にあれば傾斜防止の効果が高く、受け皿５の重心位置が当該受け皿５の前後方向中心位置付近にあれば一層良い。
【００２８】
しかも、本構成では、第１指掛け部１６及び第２指掛け部２６はいずれも、前後方向において皿部材３０の前端部３１と後端部３２との中間に位置する部分（端部１６ａ，２６ａ）が、開口部２ａの横方向中央側に凸となる曲り形状となっている。具体的には、第１指掛け部１６及び第２指掛け部２６の内周部はいずれも、受け皿５の横方向中央側に近づくにつれて前後の幅が次第に狭くなり、且つ横方向中央側に近づくにつれて内周部前側の部分も内周部後ろ側の部分も受け皿５の前後方向中央側に近づくようなテーパ状となっている。このため、各指挿入空間ＡＲ１，ＡＲ２（図５）にそれぞれ指を挿入して図４（Ｂ）のように持ち上げる場合に、各指によって第１指掛け部１６及び第２指掛け部２６の前後中間部分（皿部材３０の前端部３１と後端部との中間に位置する部分）の近辺が自然に支持されやすくなる。また、図８（Ａ）の矢印Ｆａ，Ｆｂのように両側の指を近づける強い力がかかっても、指の支持位置が前後中間部分から大きく外れにくくなる。このため、受け皿５の重心が、指の支持位置よりも大きく前に外れたり、大きく後ろに外れたりし難くなり、受け皿５の取り外し時に、皿部材３０の前下がりの傾きや後ろ下がりの傾きをより一層抑えやすくなる。しかも、図８（Ａ）のように第１指掛け部１６及び第２指掛け部２６はいずれも受け皿５の横方向中央側に向かって凹んでおり、それらの凹みの端部が受け皿５の前後方向中央位置付近となっているため、図８（Ａ）の矢印Ｆａ，Ｆｂのように力を掛けつつ指で持ち上げたときに、各指の位置が凹みの端部付近から前後にずれにくく、前後方向中央位置付近で安定的に保たれることになる。ゆえに、持上げ時の指のずれ等に起因して受け皿５のバランスが大きく変化することを抑えることができる。
【００２９】
［他の実施形態]
本発明は上記記述及び図面によって説明した実施形態に限定されるものではなく、例えば次のような実施形態も本発明の技術的範囲に含まれる。
【００３０】
上記実施形態では、第１指掛け部１６及び第２指掛け部２６において前後方向中央部（横方向中心寄りの端部１６ａ，２６ａ）がそれぞれ湾曲していたが、前後方向中央部が前後に延びる直線状であってもよい。或いは、第１指掛け部及び第２指掛け部において、前後方向中央部が開口部２ａの幅方向中央に向かって先鋭に突出していてもよく、角張って突出ていてもよい。
【００３１】
上記実施形態では、第１支持部１４、第１指掛け部１６、第１立ち上がり部１２が一体の金属線材によって構成されていたが、少なくともこれらを有していれば、複数部材が接合された構成であってもよい。また、少なくともこれらを有していれば、これらが全て連続していなくても、一部が切れていてもよい。第２支持部２４、第２指掛け部２６、第２立ち上がり部２２についても同様である。
【符号の説明】
【００３２】
１…加熱調理器
１ａ…加熱調理器本体
２ａ…開口部
３…グリル
５…受け皿
７…排気路
７ａ…排出部
１０…第１連結部
１２…第１立ち上がり部
１４…第１支持部
１６…第１指掛け部
２０…第２連結部
２２…第２立ち上がり部
２４…第２支持部
２６…第２指掛け部
３０…皿部材
３１…前端部
【図１】
2015031471.tif 000003
【図２】
2015031471.tif 000004
【図３】
2015031471.tif 000005
【図４】
2015031471.tif 000006
【図５】
2015031471.tif 000007
【図６】
2015031471.tif 000008
【図７】
2015031471.tif 000009
【図８】
2015031471.tif 000010
【図９】
2015031471.tif 000011
【図１０】
2015031471.tif 000012